【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
室外の空気を部屋に給気するための給気風路と、前記部屋の空気を前記室外に排気するための排気風路と、前記排気風路を流れる排気流と前記給気風路を流れる給気流との間で熱交換を行う熱交換器と、を筐体の内部に備えた熱交換換気装置と、複数の前記部屋と、を複数のダクトを介して接続するための排気用ダクト分岐継ぎ手であって、
前記複数のダクトのうち前記熱交換換気装置と接続された主ダクトが接続される主ダクト接続口と、
前記複数のダクトのうち前記部屋と個別に接続された複数の分岐ダクトが接続される複数の第１分岐口と、
複数の前記第１分岐口に設けられ、外部から受信する信号に基づいて前記第１分岐口を任意の開度で開閉可能な風量切替ダンパと、
を備えることを特徴とする排気用ダクト分岐継ぎ手。
【請求項２】
前記風量切替ダンパは、
前記第１分岐口に設けられて前記第１分岐口を任意の開度で開閉する風量制御ダンパ羽根と、
前記風量制御ダンパ羽根を開閉駆動する駆動モータと、
前記駆動モータを制御して前記風量制御ダンパ羽根の開度を制御するダンパ制御部と、
を備えることを特徴とする請求項１に記載の排気用ダクト分岐継ぎ手。
【請求項３】
前記第１分岐口を流れる空気の風量を検出する第１差圧センサを複数の前記第１分岐口に備え、
前記ダンパ制御部が、前記給気流の空気質を示す前記信号および前記排気流の空気質を示す前記信号の内少なくとも一方に基づいて前記風量制御ダンパ羽根の開度を制御すること、
を特徴とする請求項２に記載の排気用ダクト分岐継ぎ手。
【請求項４】
複数の前記第１分岐口のうち１つの前記第１分岐口からさらに分岐された第２分岐口と、
前記第２分岐口に設けられ、外部から受信する信号に基づいて前記第２分岐口を任意の開度で開閉可能な風量切替ダンパと、
を備えることを特徴とする請求項２または３に記載の排気用ダクト分岐継ぎ手。
【請求項５】
前記第１分岐口を流れる空気の風量を検出する第１差圧センサを複数の前記第１分岐口に備え、
前記ダンパ制御部が、前記第１差圧センサの検出結果に基づいて前記風量制御ダンパ羽根の開度を制御すること、
を特徴とする請求項２から４のいずれか１つに記載の排気用ダクト分岐継ぎ手。
【請求項６】
前記第１差圧センサにおける検出結果に基づいて、前記第１差圧センサが配置された前記第１分岐口に設けられた前記風量切替ダンパの開閉を制御可能であり、また前記熱交換換気装置における運転パワーの増減を指示する信号を前記熱交換換気装置に送信可能である風量制御部を備えること、
を特徴とする請求項５に記載の排気用ダクト分岐継ぎ手。
【請求項７】
前記主ダクト接続口を流れる空気の風量を検出する第２差圧センサを前記主ダクト接続口に備え、
前記ダンパ制御部が、前記第２差圧センサの検出結果に基づいて前記風量制御ダンパ羽根の開度を制御すること、
を特徴とする請求項２から６のいずれか１つに記載の排気用ダクト分岐継ぎ手。
【手続補正２】
【補正対象書類名】明細書
【補正対象項目名】００２７
【補正方法】変更
【補正の内容】
【００２７】
また、熱交換換気装置１０での熱交換器１３を利用した換気においては、排気用送風機１２を運転することにより、室内空気は、室内側排気ダクト１１３を介して室内側吸込口１０３から矢印Ｃのように吸い込まれ、排気風路１０７および熱交換器１３を通り、排気用送風機１２により室外側吹出口１０４から矢印Ｄのように吹き出され、室外側排気ダクト１１４を介して屋外に排気される。
【手続補正３】
【補正対象書類名】明細書
【補正対象項目名】００５０
【補正方法】変更
【補正の内容】
【００５０】
ダンパ制御部４３は、熱交換換気装置１０、換気対象空間に個別に設置された室内温湿度センサ２１、換気対象空間に個別に設置された外気温湿度センサ２２、ＣＯ２センサ２３、においセンサ２４、人感センサ２５、換気対象空間の各部屋に設置された操作スイッチ５０、外部機器６０などから送信された信号を受信し、受信した信号に基づいて風量制御ダンパ羽根４１の開閉および開度を調整する制御を行うことができる。これにより、風量切替ダンパ４０は、第１分岐口を通る空気の換気風量の調整が可能とされている。ダンパ制御部４３は、給気流の空気質を示す信号および排気流の空気質を示す信号の内少なくとも一方に基づいて風量制御ダンパ羽根４１の開度を制御することができる。空気質には、たとえば温度、湿度およびＣＯ２濃度などが含まれる。
【手続補正４】
【補正対象書類名】明細書
【補正対象項目名】００６０
【補正方法】変更
【補正の内容】
【００６０】
（浴室１の湿気を急速排気する場合）
つぎに、熱交換換気システム１００が浴室１の湿気を急速排気する動作について説明する。浴室１には、操作スイッチ５０、室内温湿度センサ２１が設置されている。室内温湿度センサ２１は、予め決められた周期で浴室１の空気の湿度を検出し、検出した湿度が予め決められた湿度閾値以上である場合に、湿度が湿度閾値以上であることを示す検出信号を排気用ダクト分岐継ぎ手３０の風量切替ダンパ４０１のダンパ制御部４３に送信する。
【手続補正５】
【補正対象書類名】明細書
【補正対象項目名】００６６
【補正方法】変更
【補正の内容】
【００６６】
他の熱交換換気装置２１０が上述した熱交換換気装置１０と異なる点は、浴室１の空気を取り込む吸込口として浴室側吸込口１２１を有する点と、浴室側吸込口１２１から取り込んだ浴室１の空気を熱交換器１３に通さずに迂回させて室外側吹出口１０４から屋外に向けて排出するバイパス風路１２２を筐体１０５の内部に有する点である。また、浴室側吸込口１２１には、後述する第２分岐口３６と浴室側吸込口１２１とを接続して浴室１の空気を他の熱交換換気装置２１０に取り込むための浴室排気風路を構成する浴室排気ダクト１１３３が接続されている。なお、理解の容易のため、バイパス風路１２２と浴室排気ダクト１１３３とを図７に併せて示している。
【手続補正６】
【補正対象書類名】明細書
【補正対象項目名】００６８
【補正方法】変更
【補正の内容】
【００６８】
浴室１の空気の第１の風路は、第２室内側排気ダクト１１３２を通って流れてきた浴室１の空気が浴室分岐口３１から排気用ダクト分岐継ぎ手３０ａの内部に流れ込み、主ダクト接続口３５から第１室内側排気ダクト１１３１に流れる風路である。浴室１の空気の第２の風路は、第２室内側排気ダクト１１３２を通って流れてきた浴室１の空気が浴室分岐口３１から第２分岐口３６を介して浴室排気ダクト１１３３に流れ込み、他の熱交換換気装置２１０の浴室側吸込口１２１に流れる風路である。浴室１の空気の第１の風路と、浴室１の空気の第２の風路とは、風量切替ダンパ４０５により切替可能である。
【手続補正７】
【補正対象書類名】明細書
【補正対象項目名】００９３
【補正方法】変更
【補正の内容】
【００９３】
（熱交換換気装置１０の給気温度を高くする場合）
つぎに、熱交換換気システム１００が熱交換換気装置１０からの給気流の温度である給気温度を高くする動作について説明する。熱交換換気装置１０は、外気と室内空気とで熱交換をする。すなわち、熱交換換気装置１０は、室内空気の温度と外気の温度との間で温度交換をする。このため、熱交換換気装置１０は、熱交換器１３を通る排気流の温度が、室内の適正温度に近いほうが、熱交換換気装置１０の機能をより発揮することができる。たとえば、冬季に洗面所２などの空気調和されていない部屋からの排気と外気との間で熱交換をするよりも、居室等の空気調和された部屋からの排気との間で熱交換するほうが、室内に給気される給気流の温度である給気温度が高くなる。これにより、給気による居室の温度低下が少なくなる。